(57)【要約】【課題】10−16m時代、10−15m時代、10−14m時代、10−13m時代、宇宙の中心のブラックホールの質量エネルギーはあまり変わらない。軌道エネルギーの式も変わらない。1011太陽質量のブラックホールでできた泡状の銀河集団や1010太陽質量のブラックホールでできた泡状の銀河集団や109太陽質量のブラックホールでできた泡状の銀河集団はどのように回転しているか。【解決手段】1011太陽質量のブラックホールでできた泡状の銀河集団や1010太陽質量のブラックホールでできた泡状の銀河集団や109太陽質量のブラックホールでできた泡状の銀河集団は、宇宙の中心のブラックホールが作る軌道半径を回転している。これは、泡の中央の1011太陽質量のブラックホールや1010太陽質量のブラックホールや109太陽質量のブラックホールが、宇宙の中心のブラックホールが作る軌道半径を回転している。それで、泡状の銀河達もそれに追従して、泡状の軌道を回転しながら、その軌道半径を回転している。【選択図】図１
2013258839.tif 000002
【特許請求の範囲】
【請求項１】
軌道エネルギーの式は、2.524×1027JKｍ÷軌道半径、であるとする。外側の軌道の軌道エネルギーと速度はいくらか。現代光速の軌道半径の変化とその軌道エネルギーと速度はいくらか。（この事については、特願2012−109671の「請求項１」に記した。その訂正です。）
中央のブラックホールの質量はそんなに変化しない。その質量は2.631×1013太陽質量であるとし、軌道エネルギーの式は、2.524×1027JKｍ÷軌道半径、であるとする。
・軌道エネルギーの式と外側の軌道の軌道エネルギーと速度を示す。
表1
2013258839.tif 000019
この事により理解できる事。
１．10−18m時代より以前の宇宙は、宇宙の外側までブラックホールである。
2．宇宙の中心のブラックホールは、10−18m時代には作られていた。
3．外側が筒として存在できるのは、10−12m時代であり、軌道エネルギー（引力）は5.336×104Jで、速度は2.310×102Kmです。
・軌道エネルギーの式と現代光速の軌道半径の変化とその軌道エネルギーと速度を示す。
表２
2013258839.tif 000020
この事により理解できる事。
1．宇宙膨張が続くと、ブラックホールゾーンは10−8m時代まで存続できる。ブラックホールゾーンの外側の軌道半径は5×1010光年で、その軌道エネルギーは5.336×104Jで、速度は2.310×102Kmです。
2．10−8m時代、宇宙はブラックホールに成っている。そこには何も存在しない。
【請求項２】
宇宙のAとエネルギーと引力はいくらか。（この事については、特願2012−109671の「請求項2」に記した。その訂正です。）
Aは地表のエネルギーを1とする場合の比較倍数です。
宇宙の時代は、電子のラブの公転軌道を示します。
例えば、地表の電子のラブの公転軌道は1.058×10−10mです。約10−10mは地表の電子のラブの公転軌道です。この軌道の場のエネルギーをA=1とします。
それで、宇宙のAとエネルギーと引力は次の表のように成ります。
・軌道エネルギーの式と外側の軌道半径と外側の軌道エネルギーと速度とAとエネルギー(引力)の比と速度の比を示す。
表3
2013258839.tif 000021
この事より理解できる事。
1．10-8m時代は、電子のラブの公転軌道は10−8mであり、Aは10−2であり、温度はA2で、10−4℃です。この時代の温度は絶対０度より低い計算に成り、この時代は存在しない。
・軌道エネルギーの式と光速だった軌道の軌道半径とその軌道エネルギーと速度とAとエネルギーの比と引力（軌道エネルギー）の比を示す。
表4
2013258839.tif 000022
【請求項３】
10−14m時代、10−15m時代、10−16m時代、其々の軌道エネルギー、公転速度、螺旋回転の速度、1公転の距離、1螺旋回転の距離、螺旋回転で進んだ距離、螺旋回転の回転数はいくらか。（この事については、特願2012−109671の「請求項8」に記した。その訂正です。）
式
・軌道エネルギー＝軌道エネルギーの式÷軌道半径。
・公転速度＝軌道エネルギー1/2
・螺旋回転の速度＝公転速度×8.927
・1公転で進む距離＝2π×軌道半径
・１螺旋回転で進む距離＝1公転で進む距離×8.927
・螺旋回転で進む距離＝螺旋回転の速度×時代の秒数
・螺旋回転した回数＝螺旋回転で進む距離÷１螺旋回転で進む距離
10−16mの場合。
軌道エネルギー＝2.524×1027JKm÷（105×9.46×1012Km）＝2.668×109J。公転速度＝（2.668×109J）1/2=5.165×104Km
軌道エネルギー＝2.524×1027JKm÷（3×105×9.46×1012Km）＝8.894×108J。公転速度＝（8.894×108J）1/2=2.982×104Km
軌道エネルギー＝2.524×1027JKm÷（5×105×9.46×1012Km）＝5.336×108J。公転速度＝（5.336×104J）1/2=2.310×104Km
螺旋回転の速度＝5.165×104Km×8.927＝4.611×105Km
螺旋回転の速度＝2.982×104Km×8.927＝2.662×105Km
螺旋回転の速度＝2.310×104Km×8.927＝2.062×105Km
1公転で進む距離=2π×105×9.46×1012Km＝5.941×1018Km
1公転で進む距離=2π×3×105×9.46×1012Km＝1.782×1019Km
1公転で進む距離=2π×5×105×9.46×1012Km＝2.970×1019Km
１螺旋回転で進む距離＝5.941×1018Km×8.927＝5.304×1019Km
１螺旋回転で進む距離＝1.782×1019Km×8.927＝1.591×1020Km
１螺旋回転で進む距離＝2.970×1019Km×8.927＝2.651×1020Km
10−16m時代螺旋回転で進む距離＝4.611×105Km×108×365×24×60×60秒＝1.454×1021Km
10−16m時代螺旋回転で進む距離＝2.662×105Km×108×365×24×60×60秒＝8.396×1020Km
10−16m時代螺旋回転で進む距離＝2.062×105Km×108×365×24×60×60秒＝6.504×1020Km
螺旋回転した回数＝1.454×1021Km÷（5.304×1019Km）＝2.741×10（回転）
螺旋回転した回数＝8.396×1020Km÷（1.591×1020Km）＝5.277（回転）
螺旋回転した回数＝6.504×1020Km÷（2.651×1020Km）＝2.453（回転）
10−15mの場合。
軌道エネルギー＝2.524×1027JKm÷（106×9.46×1012Km）＝2.668×108J。公転速度＝（2.668×108J）1/2=1.633×104Km。
軌道エネルギー＝2.524×1027JKm÷（3×106×9.46×1012Km）＝8.894×107J。公転速度＝（8.894×107J）1/2=9.431×103Km。
軌道エネルギー＝2.524×1027JKm÷（5×106×9.46×1012Km）＝5.336×107J。公転速度＝（5.336×107J）1/2=7.305×103Km。
螺旋回転の速度＝1.633×104Km×8.927＝1.458×105Km
螺旋回転の速度＝9.430×103Km×8.927＝8.418×104Km
螺旋回転の速度＝7.365×103Km×8.927＝6.575×104Km
1公転で進む距離=2π×106×9.46×1012Km＝5.941×1019Km
1公転で進む距離=2π×3×106×9.46×1012Km＝1.782×1020Km
1公転で進む距離=2π×5×106×9.46×1012Km＝2.970×1020Km
１螺旋回転で進む距離＝5.941×1019Km×8.927＝5.304×1020Km
１螺旋回転で進む距離＝1.782×1020Km×8.927＝1.591×1021Km
１螺旋回転で進む距離＝2.970×1020Km×8.927＝2.651×1021Km
10−15m時代螺旋回転で進む距離＝1.458×105Km×109×365×24×60×60秒＝4.598×1021Km
10−15m時代螺旋回転で進む距離＝8.418×104Km×109×365×24×60×60秒＝2.655×1021Km
10−15m時代螺旋回転で進む距離＝6.575×104Km×109×365×24×60×60秒＝2.073×1021Km
螺旋回転した回数＝4.598×1021Km÷（5.304×1020Km）＝8.669（回転）
螺旋回転した回数＝2.655×1021Km÷（1.591×1021Km）＝1.669（回転）
螺旋回転した回数＝2.073×1021Km÷（2.651×1021Km）＝0.782（回転）
10−14mの場合。
軌道エネルギー＝2.524×1027JKm÷（107×9.46×1012Km）＝2.668×107J。公転速度＝（2.668×107）1/2=5.165×103Km。
軌道エネルギー＝2.524×1027JKm÷（3×107×9.46×1012Km）＝8.894×106J。公転速度＝（8.894×106J）1/2=2.982×103Km。
軌道エネルギー＝2.524×1027JKm÷（5×107×9.46×1012Km）＝5.336×106J。公転速度＝（5.336×106J）1/2=2.310×103Km。
螺旋回転の速度＝5.165×103Km×8.927＝4.611×104Km
螺旋回転の速度＝2.982×103Km×8.927＝2.662×104Km
螺旋回転の速度＝2.310×103Km×8.927＝2.062×104Km
1公転で進む距離＝2π×107×9.46×1012Km=5.941×1020Km
1公転で進む距離＝2π×3×107×9.46×1012Km=1.782×1021Km
1公転で進む距離＝2π×5×107×9.46×1012Km=2.970×1021Km
１螺旋回転で進む距離＝5.941×1020Km×8.927＝5.304×1021Km
１螺旋回転で進む距離＝1.782×1021Km×8.927＝1.591×1022Km
１螺旋回転で進む距離＝2.970×1021Km×8.927＝2.651×1022Km
10−14m時代螺旋回転で進む距離＝螺旋回転の速度×137億年の秒数＝4.611×104Km×1.37×1010×365×24×60×60秒＝1.992×1022Km
10−14m時代螺旋回転で進む距離＝2.662×104Km×1.37×1010×365×24×60×60秒＝1.150×1022Km
10−14m時代螺旋回転で進む距離＝2.062×104Km×1.37×1010×365×24×60×60秒＝8.909×1021Km
螺旋回転した回数＝1.992×1022Km÷（5.304×1021Km）＝3.756（回転）
螺旋回転した回数＝1.150×1022Km÷（1.591×1022Km）＝0.723（回転）
螺旋回転した回数＝8.909×1021Km÷（2.651×1022Km）＝0.336（回転）
・10−16m時代の宇宙の様子
表5
2013258839.tif 000023
・10−15m時代の宇宙の様子
表６
2013258839.tif 000024
・10−14m時代の宇宙の様子
表7
2013258839.tif 000025
この事により理解できたこと。
1．高エネルギーの場ほど、軌道半径は小さい。これは、高エネルギーの場ほど、1秒間に作る磁気の光子のエネルギーが大きいからです。磁気の光子のエネルギーは引力として働くので、軌道半径は小さくなる。
2．高エネルギーの場ほど、公転速度や螺旋回転速度は速い。これは、高エネルギーの場ほど、1秒間に作る電気の光子のエネルギーが大きいからです。電気の光子のエネルギーは軌道の速度を作るので、1秒間に作る電気の光子のエネルギーが大きい軌道ほど公転速度や螺旋回転速度は速い。
3．どの時代でも螺旋回転で進む距離は変わらない。これは、螺旋回転で進む距離＝螺旋回転の速度×時代の秒数であり、螺旋回転の速度と時代の秒数は反比例するからです。但し、10−14m時代の秒数を1.37×1010年として計算したので、1.37倍に成っている。
4．高エネルギーの場ほど螺旋回転の速度は速く、時代の秒数時間は少ない。
5．高エネルギーの場ほど、螺旋回転数は多い。
【請求項４】
泡状に存在する銀河達は、1011太陽質量のブラックホールを中心にどのように回転しているか。  泡状に存在する銀河達は、1010太陽質量のブラックホールを中心にどのように回転しているか。泡状に存在する銀河達は、109太陽質量のブラックホールを中心にどのように回転しているか。（この事については、特願2012−121431の「請求項13」に記した。その訂正です。但し、泡状に存在する銀河達は、1011太陽質量のブラックホールを中心にどのように回転しているかを追加した。）
・中央の1011太陽質量のブラックホールが作る軌道エネルギーの式はいくらか。
銀河の中心のブラックホールの質量が太陽質量の10n太陽質量の場合、宇宙の軌道エネルギーの式は、5.438×1018＋2n/3JKm÷軌道半径、です。(この事については、特願2008−23309に記した)
軌道エネルギー＝5.438×1018＋2n/3JKm÷軌道半径＝5.438×1018＋2×11÷3JKm÷軌道半径＝5.438×1025×100.333JKm÷軌道半径＝5.438×1025×2.154 JKm÷軌道半径＝1.171×1026JKm÷軌道半径
10−16m時代、中央の1011太陽質量のブラックホールが作る軌道エネルギーの式は、1.171×1026JKm÷軌道半径です。
1011太陽質量から噴出するジェットはどこまで届くか。
10−16m時代、1011太陽質量から噴出するジェットが届く距離＝6.477×1011×1011/3Km×100＝6.477×1016×100.666Km＝6.477×1016×4.641Km＝3.006×1017Km
これは、3.006×1017Km÷(9.46×1012Km)＝3.178×104、光年です。
・10−16m時代、銀河の軌道エネルギーと速度はいくらか。
泡状の銀河達が存在する軌道半径は、3.006×1017Kmです。
軌道エネルギー＝1.171×1026JKm÷(3.006×1017Km)＝3.896×108J
速度＝(3.896×108)1/2=1.974×104Km、です。
10−16m時代、泡状の銀河達の軌道エネルギーは、3.896×10８Jで、速度は1.974×10４Kmです。
・中央の1010太陽質量のブラックホールが作る軌道エネルギーの式はいくらか。
銀河の中心のブラックホールの質量が太陽質量の10n太陽質量の場合、宇宙の軌道エネルギーの式は、5.438×1018＋2n/3JKm÷軌道半径、です。(この事については、特願2008−23309に記した)
軌道エネルギー＝5.438×1018＋2n/3JKm÷軌道半径＝5.438×1018＋2×10÷3JKm÷軌道半径＝5.438×1024×100.666 JKm÷軌道半径＝5.438×1024×4.641 JKm÷軌道半径＝2.524×1025JKm÷軌道半径
10−16m時代、中央の1010太陽質量のブラックホールが作る軌道エネルギーの式は、2.524×1025JKm÷軌道半径です。
・10−16m時代、銀河の軌道エネルギーと速度はいくらか。
泡状の銀河達が存在する軌道半径は、1.395×1017Kmです。
軌道エネルギー＝2.524×1025JKm÷(1.395×1017Km)＝1.809×108J
速度＝(1.809×108)1/2=1.345×104Km、です。
10−16m時代、泡状の銀河達の軌道エネルギーは、1.809×10８Jで、速度は1.345×10４Kmです。
・中央の109太陽質量のブラックホールが作る軌道エネルギーの式はいくらか。
10−16m時代、
軌道エネルギー＝5.438×1018＋2n/3JKm÷軌道半径＝5.438×10１８＋2×9÷3JKm÷軌道半径＝5.438×102４JKm÷軌道半径。
10−16m時代、中央の109太陽質量のブラックホールが作る軌道エネルギーの式は、5.438×102４JKm÷軌道半径です。
・10−16m時代、銀河の軌道エネルギーと速度はいくらか。
泡状の銀河達が存在する軌道半径は、6.477×1016Kmです。
軌道エネルギー＝5.438×102４JKm÷(6.477×1016Km)＝8.396×10７J
速度＝(8.396×109J)1/2=9.163×104Km
10−16m時代、泡状の銀河達の軌道エネルギーは8.396×10７Jで、速度は9.163×10３Kmです。
この事を表に示す。
中心が1011太陽質量のブラックホールでできた泡状の銀河集団の軌道半径と軌道エネルギーと速度
表8
2013258839.tif 000026
中心が1010太陽質量のブラックホールでできた泡状の銀河集団の軌道半径と軌道エネルギーと速度
表9
2013258839.tif 000027
中心が109太陽質量のブラックホールでできた泡状の銀河集団の軌道半径と軌道エネルギーと速度
表10
2013258839.tif 000028
この事によって理解できる事。
1．10−14m時代、1011太陽質量のブラックホールが作った泡状に存在する銀河の軌道エネルギーは、3.896×106Jで、1010太陽質量のブラックホールが作った泡状に存在する銀河の軌道エネルギーは、1.809×106Jで、109太陽質量のブラックホールが作った泡状に存在する銀河の軌道エネルギーは、8.396×105Jですから、中心のブラックホールに近い軌道半径に存在する泡状銀河集団の順序は、1011太陽質量のブラックホールが作った泡状に存在する銀河、1010太陽質量のブラックホールが作った泡状に存在する銀河、109太陽質量のブラックホールが作った泡状に存在する銀河の順です。
2．1011太陽質量のブラックホールでできた泡の中の銀河達の軌道エネルギーは、1010太陽質量のブラックホールでできた泡の中の銀河達の軌道エネルギーの、3.896×108J÷(1.809×108J)＝2.154、倍です。
3．1010太陽質量のブラックホールでできた泡の中の銀河達の軌道エネルギーは、109太陽質量のブラックホールでできた泡の中の銀河達の軌道エネルギーの、1.809×108J÷(8.396×10７J)＝2.154、倍です。
4．1011太陽質量のブラックホールでできた泡の中の銀河達の速度は、1010太陽質量のブラックホールでできた泡の中の銀河達の速度の、1.974×104Km÷(1.345×104Km)＝1.468、倍です。
5．1010太陽質量のブラックホールでできた泡の中の銀河達の速度は、109太陽質量のブラックホールでできた泡の中の銀河達の速度の、1.345×104Km÷(9.163×103Km)＝1.468、倍です。
6．1011太陽質量のブラックホールでできた泡状の銀河達の軌道半径は、1010太陽質量のブラックホールでできた泡状の銀河達の軌道半径の、3.006×1017Km÷(1.395×1017Km)＝2.155、倍です。
7．1010太陽質量のブラックホールでできた泡状の銀河達の軌道半径は、109太陽質量のブラックホールでできた泡状の銀河達の軌道半径の、1.395×1017Km÷(6.477×1016Km)＝2.154、倍です。
【請求項５】
1011太陽質量のブラックホールでできた泡状の銀河集団は、何年で中心の1011太陽質量のブラックホールが作った軌道を1回転するか。今まで何回転したか。1010太陽質量のブラックホールでできた泡状の銀河集団は、何年で中心の1010太陽質量のブラックホールが作った軌道を1回転するか。今まで何回転したか。
109太陽質量のブラックホールでできた泡状の銀河集団は、何年で中心の109太陽質量のブラックホールが作った軌道を1回転するか。今まで何回転したか。（この事については、特願2012−121431の「請求項14」に記した。その訂正です。1011太陽質量のブラックホールでできた泡状の銀河集団は、何年で中心の1011太陽質量のブラックホールが作った軌道を1回転するかを追加した。）
・1011太陽質量のブラックホールでできた泡状の銀河集団の場合。
・何年で泡状態を1周するか。
10−14m時代、1011太陽質量のブラックホールでできた泡状の半径は、3.178×106光年です。秒速は1.974×103Kmです。
10−14m時代、1周するためにかかる年数＝泡状の円周÷秒速÷1年間の秒数＝2π×3.178×106×9.46×1012Km÷(1.974×103Km)÷(365×24×60×60)＝3.033×109年
10−15m時代、1周するためにかかる年数＝泡状の円周÷秒速÷1年間の秒数＝2π×3.178×105×9.46×1012Km÷(6.242×103Km)÷(365×24×60×60)＝9.591×107年
10−16m時代、1周するためにかかる年数＝泡状の円周÷秒速÷1年間の秒数＝2π×3.178×104×9.46×1012Km÷(1.974×104Km)÷(365×24×60×60)＝3.033×106年
・今まで何回転したか。
10−14m時代、今の年数÷1回転する年数＝1.37×1010年÷(3.033×10９年)＝4.517回転
10−15m時代、10−15m時代の年数÷1回転する年数＝109年÷(9.591×107年)＝1.043×10回転
10−16m時代、10−16m時代の年数÷1回転する年数＝108年÷(3.033×106年)＝3.297×10回転
・1010太陽質量のブラックホールでできた泡状の銀河集団の場合。
・何年で泡状態を1周するか。
10−14m時代、1010太陽質量のブラックホールでできた泡状の半径は、1.475×106光年です。秒速は1.345×103Kmです。
10−14m時代、1周するためにかかる年数＝泡状の円周÷秒速÷1年間の秒数＝2π×1.475×106×9.46×1012Km÷(1.345×103Km)÷(365×24×60×60)＝2.066×109年
10−15m時代、1周するためにかかる年数＝泡状の円周÷秒速÷1年間の秒数＝2π×1.475×105×9.46×1012Km÷(4.253×103Km)÷(365×24×60×60)＝6.533×107年
10−16m時代、1周するためにかかる年数＝泡状の円周÷秒速÷1年間の秒数＝2π×1.475×104×9.46×1012Km÷(1.345×104Km)÷(365×24×60×60)＝2.066×106年
・今まで何回転したか。
10−14m時代、今の年数÷1回転する年数＝1.37×1010年÷(2.066×10９年)＝6.631回転
10−15m時代、10−15m時代の年数÷1回転する年数＝109年÷(6.533×107年)＝1.531×10回転
10−16m時代、10−16m時代の年数÷1回転する年数＝108年÷(2.066×106年)＝4.840×10回転
・109太陽質量のブラックホールでできた泡状の銀河集団の場合。
・何年で泡状態を1周するか。
・10−14m時代、109太陽質量のブラックホールでできた泡状の半径は、6.847×105光年です。秒速は9.163×102Kmです。
10−14m時代、1周するためにかかる年数＝泡状の円周÷秒速÷1年間の秒数＝2π×6.847×105×9.46×1012Km÷(9.163×102Km)÷(365×24×60×60)＝1.408×109年
10−15m時代、1周するためにかかる年数＝泡状の円周÷秒速÷1年間の秒数＝2π×6.847×10４×9.46×1012Km÷(2.898×103Km)÷(365×24×60×60)＝4.451×107年
10−16m時代、1周するためにかかる年数＝泡状の円周÷秒速÷1年間の秒数＝2π×6.847×103×9.46×1012Km÷(9.163×103Km)÷(365×24×60×60)＝1.408×106年
・今まで何回転したか。
10−14m時代、今の年数÷1回転する年数＝1.37×1010年÷(1.408×109年)＝9.730回転
10−15m時代、10−15m時代の年数÷1回転する年数＝109年÷(4.451×107年)＝2.247×10回転
10−16m時代、10−16m時代の年数÷1回転する年数＝108年÷(1.408×106年)＝7.102×10回転
この事を表に示す。
1011太陽質量のブラックホールでできた泡状の銀河集団の回転
表11
2013258839.tif 000029
1010太陽質量のブラックホールでできた泡状の銀河集団の回転
表12
2013258839.tif 000030
10−14m時代、109太陽質量のブラックホールでできた泡状の銀河集団の回転
表13
2013258839.tif 000031
この事により理解できる事。
1. 1011太陽質量のブラックホールでできた泡状の銀河達の1周するためにかかる年数は、1010太陽質量のブラックホールでできた泡状の銀河達の1周するためにかかる年数の、3.033×106年÷(2.066×106年)＝1.468、倍です。
2．1010太陽質量のブラックホールでできた泡状の銀河達の1周するためにかかる年数は、109太陽質量のブラックホールでできた泡状の銀河達の1周するためにかかる年数の、2.066×106年÷(1.408×106年)＝1.467、倍です。
3．1011太陽質量のブラックホールでできた泡状の銀河達の回転数は、1010太陽質量のブラックホールでできた泡状の銀河達の回転数の、3.297×10回転÷(4.840×10回転)＝0.681、倍です。
4．1010太陽質量のブラックホールでできた泡状の銀河達の回転数は、109太陽質量のブラックホールでできた泡状の銀河達の回転数の、4.840×10回転÷(7.102×10回転)＝0.681、倍です。
【請求項６】
1011太陽質量のブラックホールでできた泡状の銀河達はどのように回転しているか。  1010太陽質量のブラックホールでできた泡状の銀河達はどのように回転しているか。109太陽質量のブラックホールでできた泡状の銀河達はどのように回転しているか。
質量の大きいブラックホールでできた泡状の銀河集団程、中央のブラックホールに近い軌道半径を回転している。
それで、10−14m時代、1011太陽質量のブラックホールでできた泡状の銀河達は、107光年の軌道半径を回転しているとし、1010太陽質量のブラックホールでできた泡状の銀河達は、3×107光年の軌道半径を回転しているとし、109太陽質量のブラックホールでできた泡状の銀河達は、5×107光年の軌道半径を回転しているとする。
10−14m時代、1011太陽質量のブラックホールでできた泡状の銀河達は、107光年の軌道半径を回転している状態は、107光年の軌道半径を秒速5.165×103Kmで回転している。そして、泡状の3.178×106光年の軌道半径を秒速1.974×103Kmで回転している。
10−14m時代、1010太陽質量のブラックホールでできた泡状の銀河達は、3×107光年の軌道半径を回転している状態は、3×107光年の軌道半径を秒速2.982×103Kmで回転している。そして、泡状の1.475×106光年の軌道半径を秒速1.345×103Kmで回転している。
10−14m時代、109太陽質量のブラックホールでできた泡状の銀河達は、5×107光年の軌道半径を回転している状態は、5×107光年の軌道半径を秒速2.310×103Kmで回転している。そして、泡状の6.847×105光年の軌道半径を秒速9.163×102Km で回転している。
10−15m時代、1011太陽質量のブラックホールでできた泡状の銀河達は、106光年の軌道半径を回転している状態は、10６光年の軌道半径を秒速1.633×104Kmで回転している。そして、泡状の3.178×105光年の軌道半径を秒速6.242×103Km で回転している。
10−15m時代、1010太陽質量のブラックホールでできた泡状の銀河達は、3×106光年の軌道半径を回転している状態は、3×106光年の軌道半径を秒速9.431×103Kmで回転している。そして、泡状の1.475×105光年の軌道半径を秒速4.253×103Kmで回転している。
10−15m時代、109太陽質量のブラックホールでできた泡状の銀河達は、5×106光年の軌道半径を回転している状態は、5×106光年の軌道半径を秒速7.305×103Kmで回転している。そして、泡状の6.847×104光年の軌道半径を秒速2.898×103Km で回転している。
10−16m時代、1011太陽質量のブラックホールでできた泡状の銀河達は、105光年の軌道半径を回転している状態は、105光年の軌道半径を秒速5.165×104Kmで回転している。そして、泡状の3.178×10４光年の軌道半径を秒速1.974×104Km で回転している。
10−16m時代、1010太陽質量のブラックホールでできた泡状の銀河達は、3×105光年の軌道半径を回転している状態は、3×105光年の軌道半径を秒速2.982×104Kmで回転している。そして、泡状の1.475×104光年の軌道半径を秒速1.345×104Kmで回転している。
10−16m時代、109太陽質量のブラックホールでできた泡状の銀河達は、5×105光年の軌道半径を回転している状態は、5×105光年の軌道半径を秒速2.310×104Kmで回転している。そして、泡状の6.847×103光年の軌道半径を秒速9.163×103Km で回転している。
この事を表に示す。
10−１6ｍ時代の泡状の銀河集団の回転状態
表14
2013258839.tif 000032
10−１5ｍ時代の泡状の銀河集団の回転状態
表15
2013258839.tif 000033
10−１４ｍ時代の泡状の銀河集団の回転状態
表1６
2013258839.tif 000034
この事から理解できる事。
1．時代の経過とともに、泡状の銀河集団は膨張し、宇宙の軌道半径が大きな軌道に移動している。
2．時代の経過とともに、泡状の銀河集団は軌道エネルギーを弱め(引力を弱め)、宇宙の軌道エネルギーの弱い軌道半径に移動する。
3．時代の経過とともに、泡状の銀河集団は速度を遅くし、宇宙の軌道速度が遅い軌道半径に移動する。
【請求項７】
宇宙の中心のブラックホールが作る軌道を泡状の銀河集団が回転するとき、泡状の銀河集団のどこを中心に回転するのか。
1011太陽質量のブラックホールでできた泡状銀河集団の中心は1011太陽質量のブラックホールです。
それで、宇宙の中心のブラックホールが作る軌道を泡状の銀河集団が回転するとき、中心の1011太陽質量のブラックホールが、宇宙の中心のブラックホールが作る軌道を回転する。
中心の1011太陽質量のブラックホールに引かれて、泡状の銀河集団は、宇宙の中心のブラックホールが作る軌道を回転する。
1010太陽質量のブラックホールでできた泡状銀河集団の中心は1010太陽質量のブラックホールです。
それで、宇宙の中心のブラックホールが作る軌道を泡状の銀河集団が回転するとき、中心の1010太陽質量のブラックホールが、宇宙の中心のブラックホールが作る軌道を回転する。
中心の1010太陽質量のブラックホールに引かれて、泡状の銀河集団は、宇宙の中心のブラックホールが作る軌道を回転する。
109太陽質量のブラックホールでできた泡状銀河集団の中心は109太陽質量のブラックホールです。
それで、宇宙の中心のブラックホールが作る軌道を泡状の銀河集団が回転するとき、中心の109太陽質量のブラックホールが、宇宙の中心のブラックホールが作る軌道を回転する。
中心の109太陽質量のブラックホールに引かれて、泡状の銀河集団は、宇宙の中心のブラックホールが作る軌道を回転する。
それはまるで、地球は太陽に引かれて腕の中心のブラックホールを回転しているのに似ている。
【発明の詳細な説明】
【技術分野】
【０００１】
本発明は、宇宙の軌道エネルギーと泡状銀河集団の回転に関するものである。
【背景技術】
【０００２】
私は2012年4月21日に提出した、特願2012−097215、「宇宙の膨張と収縮」において、宇宙の軌道エネルギーの式を3種類に分けて考えた。１つは現在のままの軌道エネルギーが続く場合、１つは軌道エネルギーが10倍(又は1/10)に成る場合、１つは中心のブラックホールの10n太陽質量が変化する場合、です。この軌道エネルギーの式により時代の軌道半径の軌道エネルギー(引力)と速度を理解した。
そして、2012年5月11日に提出した特願2012−109671、「宇宙の膨張と収縮と素粒子」において、その内1番妥当である式は、軌道エネルギーが10倍(又は1/10)に成る場合であると考えた。
確かに、宇宙が収縮する場合、中央のブラックホールの質量は増加し、最後には、全ての質量はブラックホールに成る。また、宇宙が拡大し続ける場合、中央のブラックホールのエネルギーも弱まる。
しかし、中央のブラックホールの質量はそんなに変化しない。10−16m時代、10−15m時代、10−14m時代、10−15m時代、中央のブラックホールの質量は変わらないとし、その質量は2.631×1013太陽質量であるとし、軌道エネルギーの式は、2.524×1027JKｍ÷軌道半径、であるとする。
泡状銀河集団の回転に関しては、2012年5月29日に提出した、特願2012−121431、「銀河の生成と運動」に記した。
【先行技術文献】
【特許文献】
【０００３】
【特許文献１】特願2008−23309
【特許文献２】特願2012−097215
【特許文献３】特願2012−109671
【特許文献４】特願2012−121431
【発明の概要】
【発明が解決しようとする課題】
【０００４】
１．軌道エネルギーの式は、2.524×1027JKｍ÷軌道半径、であるとする。外側の軌道の軌道エネルギーと速度はいくらか。現代光速の軌道半径の変化とその軌道エネルギーと速度はいくらか。
２．宇宙のAとエネルギーと引力はいくらか。（この事については、特願2012−109671の「請求項2」に記した。その訂正です。）
３．10−14m時代、10−15m時代、10−16m時代、其々の軌道エネルギー、公転速度、螺旋回転の速度、1公転の距離、1螺旋回転の距離、螺旋回転で進んだ距離、螺旋回転の回転数はいくらか。（この事については、特願2012−109671の「請求項8」に記した。その訂正です。）
４．泡状に存在する銀河達は、1011太陽質量のブラックホールを中心にどのように回転しているか。  泡状に存在する銀河達は、1010太陽質量のブラックホールを中心にどのように回転しているか。泡状に存在する銀河達は、109太陽質量のブラックホールを中心にどのように回転しているか。（この事については、特願2012−121431の「請求項13」に記した。その訂正です。但し、泡状に存在する銀河達は、1011太陽質量のブラックホールを中心にどのように回転しているかを追加した。）
５．1011太陽質量のブラックホールでできた泡状の銀河集団は、何年で中心の1011太陽質量のブラックホールが作った軌道を1回転するか。今まで何回転したか。1010太陽質量のブラックホールでできた泡状の銀河集団は、何年で中心の1010太陽質量のブラックホールが作った軌道を1回転するか。今まで何回転したか。
６．1011太陽質量のブラックホールでできた泡状の銀河達はどのように回転しているか。  1010太陽質量のブラックホールでできた泡状の銀河達はどのように回転しているか。109太陽質量のブラックホールでできた泡状の銀河達はどのように回転しているか。
７．宇宙の中心のブラックホールが作る軌道を泡状の銀河集団が回転するとき、泡状の銀河集団のどこを中心に回転するのか。
【課題を解決するための手段】
【０００５】
中央のブラックホールの質量はそんなに変化しない。10−16m時代、10−15m時代、10−14m時代、10−15m時代、中央のブラックホールの質量は変わらないとし、その質量は2.631×1013太陽質量であるとし、宇宙の軌道エネルギーの式は、2.524×1027JKｍ÷軌道半径、であるとする。
この考えに基づき、2012年5月11日に提出した特願2012−109671、「宇宙の膨張と収縮と素粒子」と、2012年5月29日に提出した特願2012−121431、「銀河の生成と運動」を再考察する。
泡宇宙に関しては、2012年5月29日に提出した、特願2012−121431、「銀河の生成と運動」に記したので、泡宇宙がどのように変化していったかを考える。
【発明の効果】
【０００６】
表1から表16に示した事を理解できた。
１．10−18m時代より以前の宇宙は、宇宙の外側までブラックホールである。
2．宇宙の中心のブラックホールは、10−18m時代には作られていた。
3．外側が筒として存在できるのは、10−12m時代であり、軌道エネルギー（引力）は5.336×104Jで、速度は2.310×102Kmです。
4．宇宙膨張が続くと、ブラックホールゾーンは10−8m時代まで存続できる。ブラックホールゾーンの外側の軌道半径は5×1010光年で、その軌道エネルギーは5.336×104Jで、速度は2.310×102Kmです。
5．10−8m時代、宇宙はブラックホールに成っている。そこには何も存在しない。
6．10-8m時代は、電子のラブの公転軌道は10−8mであり、Aは10−2であり、温度はA2で、10−4℃です。この時代の温度は絶対０度より低い計算に成り、この時代は存在しない。
7．高エネルギーの場ほど、軌道半径は小さい。これは、高エネルギーの場ほど、1秒間に作る磁気の光子のエネルギーが大きいからです。磁気の光子のエネルギーは引力として働くので、軌道半径は小さくなる。
8．高エネルギーの場ほど、公転速度や螺旋回転速度は速い。これは、高エネルギーの場ほど、1秒間に作る電気の光子のエネルギーが大きいからです。電気の光子のエネルギーは軌道の速度を作るので、1秒間に作る電気の光子のエネルギーが大きい軌道ほど公転速度や螺旋回転速度は速い。
9．どの時代でも螺旋回転で進む距離は変わらない。これは、螺旋回転で進む距離＝螺旋回転の速度×時代の秒数であり、螺旋回転の速度と時代の秒数は反比例するからです。但し、10−14m時代の秒数を1.37×1010年として計算したので、1.37倍に成っている。
10．高エネルギーの場ほど螺旋回転の速度は速く、時代の秒数時間は少ない。
11．高エネルギーの場ほど、螺旋回転数は多い。
12．10−14m時代、1011太陽質量のブラックホールが作った泡状に存在する銀河の軌道エネルギーは、3.896×106Jで、1010太陽質量のブラックホールが作った泡状に存在する銀河の軌道エネルギーは、1.809×106Jで、109太陽質量のブラックホールが作った泡状に存在する銀河の軌道エネルギーは、8.396×105Jですから、中心のブラックホールに近い軌道半径に存在する泡状銀河集団の順序は、1011太陽質量のブラックホールが作った泡状に存在する銀河、1010太陽質量のブラックホールが作った泡状に存在する銀河、109太陽質量のブラックホールが作った泡状に存在する銀河の順です。
13．1011太陽質量のブラックホールでできた泡の中の銀河達の軌道エネルギーは、1010太陽質量のブラックホールでできた泡の中の銀河達の軌道エネルギーの、3.896×108J÷(1.809×108J)＝2.154、倍です。
14．1010太陽質量のブラックホールでできた泡の中の銀河達の軌道エネルギーは、109太陽質量のブラックホールでできた泡の中の銀河達の軌道エネルギーの、1.809×108J÷(8.396×10７J)＝2.154、倍です。
15．1011太陽質量のブラックホールでできた泡の中の銀河達の速度は、1010太陽質量のブラックホールでできた泡の中の銀河達の速度の、1.974×104Km÷(1.345×104Km)＝1.468、倍です。
16．1010太陽質量のブラックホールでできた泡の中の銀河達の速度は、109太陽質量のブラックホールでできた泡の中の銀河達の速度の、1.345×104Km÷(9.163×103Km)＝1.468、倍です。
17．1011太陽質量のブラックホールでできた泡状の銀河達の軌道半径は、1010太陽質量のブラックホールでできた泡状の銀河達の軌道半径の、3.006×1017Km÷(1.395×1017Km)＝2.155、倍です。
18．1010太陽質量のブラックホールでできた泡状の銀河達の軌道半径は、109太陽質量のブラックホールでできた泡状の銀河達の軌道半径の、1.395×1017Km÷(6.477×1016Km)＝2.154、倍です。
19. 1011太陽質量のブラックホールでできた泡状の銀河達の1周するためにかかる年数は、1010太陽質量のブラックホールでできた泡状の銀河達の1周するためにかかる年数の、3.033×106年÷(2.066×106年)＝1.468、倍です。
20．1010太陽質量のブラックホールでできた泡状の銀河達の1周するためにかかる年数は、109太陽質量のブラックホールでできた泡状の銀河達の1周するためにかかる年数の、2.066×106年÷(1.408×106年)＝1.467、倍です。
21．1011太陽質量のブラックホールでできた泡状の銀河達の回転数は、1010太陽質量のブラックホールでできた泡状の銀河達の回転数の、3.297×10回転÷(4.840×10回転)＝0.681、倍です。
22．1010太陽質量のブラックホールでできた泡状の銀河達の回転数は、109太陽質量のブラックホールでできた泡状の銀河達の回転数の、4.840×10回転÷(7.102×10回転)＝0.681、倍です。
23．時代の経過とともに、泡状の銀河集団は膨張し、宇宙の軌道半径が大きな軌道に移動している。
24．時代の経過とともに、泡状の銀河集団は軌道エネルギーを弱め(引力を弱め)、宇宙の軌道エネルギーの弱い軌道半径に移動する。
25．時代の経過とともに、泡状の銀河集団は速度を遅くし、宇宙の軌道速度が遅い軌道半径に移動する。
26．宇宙の中心のブラックホールの軌道半径を、泡の中央に存在する巨大ブラックホールが回転している。その回転に引かれて、泡状の銀河集団は泡の軌道を回転しながら、更に回転している。
【図面の簡単な説明】
【０００７】
【図１】図１は時代ごとの泡状の銀河集団の回転状態を示す。符号の番号に添って説明する。  １    宇宙の中心のブラックホールは宇宙の軌道を作っている。その軌道を泡の中央に存在するブラックホールは回転している。泡状の銀河集団も泡状の軌道を回転しながら、それに従い宇宙の軌道を回転している。  ２    10−16m時代、宇宙の中心のブラックホールが作る、半径105光年の軌道。軌道エネルギーは2.668×109Jで、速度は5.165×104Kmです。この軌道を泡の中央に存在する  ３    1011太陽質量のブラックホールが回転している。  ４    10−16m時代、1011太陽質量のブラックホールのジェットが届いた半径は3.178×104光年。この泡状の軌道エネルギーは3.896×108Jで、速度は1.974×104Kmです。  ５    この泡状の軌道にできたクエーサー達は泡状の軌道を回転する。10−16m時代中にクエーサー達は泡の軌道を32.97回転した。  ６    1011太陽質量のブラックホールは、宇宙の中心のブラックホールが作る、半径105光年の軌道を回転するので、クエーサー達は泡状の軌道を回転しながら半径105光年の軌道を回転する。  ７    10−16m時代、宇宙の中心のブラックホールが作る、半径3×105光年の軌道。軌道エネルギーは8.894×108Jで、速度は2.982×104Kmです。この軌道を泡の中央に存在する  ８    1010太陽質量のブラックホールが回転している。  ９    10−16m時代、1010太陽質量のブラックホールのジェットが届いた半径は1.475×104光年。この泡状の軌道エネルギーは1.809×108Jで、速度は1.345×104Kmです。  １０    この泡状の軌道にできたクエーサー達は泡状の軌道を回転する。10−16m時代中にクエーサー達は泡の軌道を48.40回転した。  １１    1010太陽質量のブラックホールは、宇宙の中心のブラックホールが作る、半径3×105光年の軌道を回転するので、クエーサー達は泡状の軌道を回転しながら半径3×105光年の軌道を回転する。  １２    10−16m時代、宇宙の中心のブラックホールが作る、半径5×105光年の軌道。軌道エネルギーは5.336×108Jで、速度は2.310×104Kmです。この軌道を泡の中央に存在する  １３    109太陽質量のブラックホールが回転している。  １４    10−16m時代、109太陽質量のブラックホールのジェットが届いた半径は6.847×103光年。この泡状の軌道エネルギーは8.396×107Jで、速度は9.163×103Kmです。  １５    この泡状の軌道にできたクエーサー達は泡状の軌道を回転する。10−16m時代中にクエーサー達は泡の軌道を71.02回転した。  １６    109太陽質量のブラックホールは、宇宙の中心のブラックホールが作る、半径5×105光年の軌道を回転するので、クエーサー達は泡状の軌道を回転しながら半径5×105光年の軌道を回転する。  １７    10−15m時代、宇宙の中心のブラックホールが作る、半径106光年の軌道。軌道エネルギーは2.668×108Jで、速度は1.633×104Kmです。この軌道を泡の中央に存在する1011太陽質量のブラックホールが回転する。  １８    10−15m時代、1011太陽質量のブラックホールが作る泡状の軌道半径は3.178×105光年。この泡状の軌道エネルギーは3.896×107Jで、速度は6.242×103Kmです。  １９    クエーサー達は銀河達になった。  ２０    銀河達は泡状の軌道を回転する。10−15m時代中に銀河達は泡の軌道を10.43回転した。  ２１    1011太陽質量のブラックホールは、宇宙の中心のブラックホールが作る、半径106光年の軌道を回転するので、銀河達は泡状の軌道を回転しながら半��106光年の軌道を回転する。  ２２    10−15m時代、宇宙の中心のブラックホールが作る、半径3×106光年の軌道。軌道エネルギーは8.894×107Jで、速度は9.431×103Kmです。この軌道を泡の中央に存在する1010太陽質量のブラックホールが回転する。  ２３    10−15m時代、1010太陽質量のブラックホールが作る泡状の軌道半径は1.475×105光年。この泡状の軌道エネルギーは1.809×107Jで、速度は4.253×103Kmです。          クエーサー達は銀河達になった。  ２４    銀河達は泡状の軌道を回転する。10−15m時代中に銀河達は泡の軌道を15.31回転した。  ２５    1010太陽質量のブラックホールは、宇宙の中心のブラックホールが作る、半径3×106光年の軌道を回転するので、銀河達は泡状の軌道を回転しながら半径3×106光年の軌道を回転する。  ２６    10−15m時代、宇宙の中心のブラックホールが作る、半径5×106光年の軌道。軌道エネルギーは5.336×107Jで、速度は7.305×103Kmです。この軌道を泡の中央に存在する109太陽質量のブラックホールが回転する。  ２７    10−15m時代、109太陽質量のブラックホールが作る泡状の軌道半径は6.847×104光年。この泡状の軌道エネルギーは8.396×106Jで、速度は2.898×103Kmです。          クエーサー達は銀河達になった。  ２８    銀河達は泡状の軌道を回転する。10−15m時代中に銀河達は泡の軌道を22.47回転した。  ２９    109太陽質量のブラックホールは、宇宙の中心のブラックホールが作る、半径5×106光年の軌道を回転するので、銀河達は泡状の軌道を回転しながら半径5×106光年の軌道を回転する。  ３０    10−14m時代、宇宙の中心のブラックホールが作る、半径107光年の軌道。軌道エネルギーは2.668×107Jで、速度は5.165×103Kmです。この軌道を泡の中央に存在する1011太陽質量のブラックホールが回転する。  ３１    10−14m時代、1011太陽質量のブラックホールが作る泡状の軌道半径は3.178×106光年。この泡状の軌道エネルギーは3.896×106Jで、速度は1.974×103Kmです。  ３２    銀河達  ３３    銀河達は泡状の軌道を回転する。10−14m時代中に銀河達は泡の軌道を4.517回転した。  ３４    1011太陽質量のブラックホールは、宇宙の中心のブラックホールが作る、半径107光年の軌道を回転するので、銀河達は泡状の軌道を回転しながら半径107光年の軌道を回転する。  ３５    10−14m時代、宇宙の中心のブラックホールが作る、半径3×107光年の軌道。軌道エネルギーは8.894×106Jで、速度は2.982×103Kmです。この軌道を泡の中央に存在する1010太陽質量のブラックホールが回転する。  ３６    10−14m時代、1010太陽質量のブラックホールが作る泡状の軌道半径は1.475×106光年。この泡状の軌道エネルギーは1.809×106Jで、速度は1.345×103Kmです。  ３７    銀河達は泡状の軌道を回転する。10−14m時代中に銀河達は泡の軌道を6.631回転した。  ３８    1010太陽質量のブラックホールは、宇宙の中心のブラックホールが作る、半径3×107光年の軌道を回転するので、銀河達は泡状の軌道を回転しながら半径3×107光年の軌道を回転する。  ３９    10−14m時代、宇宙の中心のブラックホールが作る、半径5×107光年の軌道。軌道エネルギーは5.336×106Jで、速度は2.310×103Kmです。この軌道を泡の中央に存在する109太陽質量のブラックホールが回転する。  ４０    10−14m時代、109太陽質量のブラックホールが作る泡状の軌道半径は6.847×105光年。この泡状の軌道エネルギーは8.396×105Jで、速度は9.163×102Km��す。  ４１    銀河達は泡状の軌道を回転する。10−14m時代中に銀河達は泡の軌道を9.730回転した。  ４２    109太陽質量のブラックホールは、宇宙の中心のブラックホールが作る、半径5×107光年の軌道を回転するので、銀河達は泡状の軌道を回転しながら半径5×107光年の軌道を回転する。
【発明を実施するための形態】
【０００８】
１．    軌道エネルギーの式は、2.524×1027JKｍ÷軌道半径、であるとする。外側の軌道の軌道エネルギーと速度はいくらか。現代光速の軌道半径の変化とその軌道エネルギーと速度はいくらか。（この事については、特願2012−109671の「請求項１」に記した。その訂正です。）
中央のブラックホールの質量はそんなに変化しない。その質量は2.631×1013太陽質量であるとし、軌道エネルギーの式は、2.524×1027JKｍ÷軌道半径、であるとする。
・軌道エネルギーの式と外側の軌道の軌道エネルギーと速度を示す。
表1
2013258839.tif 000003
この事により理解できる事。
１．10−18m時代より以前の宇宙は、宇宙の外側までブラックホールである。
2．宇宙の中心のブラックホールは、10−18m時代には作られていた。
3．外側が筒として存在できるのは、10−12m時代であり、軌道エネルギー（引力）は5.336×104Jで、速度は2.310×102Kmです。
・軌道エネルギーの式と現代光速の軌道半径の変化とその軌道エネルギーと速度を示す。
表２
2013258839.tif 000004
この事により理解できる事。
1．宇宙膨張が続くと、ブラックホールゾーンは10−8m時代まで存続できる。ブラックホールゾーンの外側の軌道半径は5×1010光年で、その軌道エネルギーは5.336×104Jで、速度は2.310×102Kmです。
2．10−8m時代、宇宙はブラックホールに成っている。そこには何も存在しない。
２．    宇宙のAとエネルギーと引力はいくらか。（この事については、特願2012−109671の「請求項2」に記した。その訂正です。）
Aは地表のエネルギーを1とする場合の比較倍数です。
宇宙の時代は、電子のラブの公転軌道を示します。
例えば、地表の電子のラブの公転軌道は1.058×10−10mです。約10−10mは地表の電子のラブの公転軌道です。この軌道の場のエネルギーをA=1とします。
それで、宇宙のAとエネルギーと引力は次の表のように成ります。
・軌道エネルギーの式と外側の軌道半径と外側の軌道エネルギーと速度とAとエネルギー(引力)の比と速度の比を示す。
表3
2013258839.tif 000005
この事より理解できる事。
1．10-8m時代は、電子のラブの公転軌道は10−8mであり、Aは10−2であり、温度はA2で、10−4℃です。この時代の温度は絶対０度より低い計算に成り、この時代は存在しない。
・軌道エネルギーの式と光速だった軌道の軌道半径とその軌道エネルギーと速度とAとエネルギーの比と引力（軌道エネルギー）の比を示す。
表4
2013258839.tif 000006
３．    10−14m時代、10−15m時代、10−16m時代、其々の軌道エネルギー、公転速度、螺旋回転の速度、1公転の距離、1螺旋回転の距離、螺旋回転で進んだ距離、螺旋回転の回転数はいくらか。（この事については、特願2012−109671の「請求項8」に記した。その訂正です。）
式
・軌道エネルギー＝軌道エネルギーの式÷軌道半径。
・公転速度＝軌道エネルギー1/2
・螺旋回転の速度＝公転速度×8.927
・1公転で進む距離＝2π×軌道半径
・１螺旋回転で進む距離＝1公転で進む距離×8.927
・螺旋回転で進む距離＝螺旋回転の速度×時代の秒数
・螺旋回転した回数＝螺旋回転で進む距離÷１螺旋回転で進む距離
10−16mの場合。
軌道エネルギー＝2.524×1027JKm÷（105×9.46×1012Km）＝2.668×109J。公転速度＝（2.668×109J）1/2=5.165×104Km
軌道エネルギー＝2.524×1027JKm÷（3×105×9.46×1012Km）＝8.894×108J。公転速度＝（8.894×108J）1/2=2.982×104Km
軌道エネルギー＝2.524×1027JKm÷（5×105×9.46×1012Km）＝5.336×108J。公転速度＝（5.336×104J）1/2=2.310×104Km
螺旋回転の速度＝5.165×104Km×8.927＝4.611×105Km
螺旋回転の速度＝2.982×104Km×8.927＝2.662×105Km
螺旋回転の速度＝2.310×104Km×8.927＝2.062×105Km
1公転で進む距離=2π×105×9.46×1012Km＝5.941×1018Km
1公転で進む距離=2π×3×105×9.46×1012Km＝1.782×1019Km
1公転で進む距離=2π×5×105×9.46×1012Km＝2.970×1019Km
１螺旋回転で進む距離＝5.941×1018Km×8.927＝5.304×1019Km
１螺旋回転で進む距離＝1.782×1019Km×8.927＝1.591×1020Km
１螺旋回転で進む距離＝2.970×1019Km×8.927＝2.651×1020Km
10−16m時代螺旋回転で進む距離＝4.611×105Km×108×365×24×60×60秒＝1.454×1021Km
10−16m時代螺旋回転で進む距離＝2.662×105Km×108×365×24×60×60秒＝8.396×1020Km
10−16m時代螺旋回転で進む距離＝2.062×105Km×108×365×24×60×60秒＝6.504×1020Km
螺旋回転した回数＝1.454×1021Km÷（5.304×1019Km）＝2.741×10（回転）
螺旋回転した回数＝8.396×1020Km÷（1.591×1020Km）＝5.277（回転）
螺旋回転した回数＝6.504×1020Km÷（2.651×1020Km）＝2.453（回転）
10−15mの場合。
軌道エネルギー＝2.524×1027JKm÷（106×9.46×1012Km）＝2.668×108J。公転速度＝（2.668×108J）1/2=1.633×104Km。
軌道エネルギー＝2.524×1027JKm÷（3×106×9.46×1012Km）＝8.894×107J。公転速度＝（8.894×107J）1/2=9.431×103Km。
軌道エネルギー＝2.524×1027JKm÷（5×106×9.46×1012Km）＝5.336×107J。公転速度＝（5.336×107J）1/2=7.305×103Km。
螺旋回転の速度＝1.633×104Km×8.927＝1.458×105Km
螺旋回転の速度＝9.430×103Km×8.927＝8.418×104Km
螺旋回転の速度＝7.365×103Km×8.927＝6.575×104Km
1公転で進む距離=2π×106×9.46×1012Km＝5.941×1019Km
1公転で進む距離=2π×3×106×9.46×1012Km＝1.782×1020Km
1公転で進む距離=2π×5×106×9.46×1012Km＝2.970×1020Km
１螺旋回転で進む距離＝5.941×1019Km×8.927＝5.304×1020Km
１螺旋回転で進む距離＝1.782×1020Km×8.927＝1.591×1021Km
１螺旋回転で進む距離＝2.970×1020Km×8.927＝2.651×1021Km
10−15m時代螺旋回転で進む距離＝1.458×105Km×109×365×24×60×60秒＝4.598×1021Km
10−15m時代螺旋回転で進む距離＝8.418×104Km×109×365×24×60×60秒＝2.655×1021Km
10−15m時代螺旋回転で進む距離＝6.575×104Km×109×365×24×60×60秒＝2.073×1021Km
螺旋回転した回数＝4.598×1021Km÷（5.304×1020Km）＝8.669（回転）
螺旋回転した回数＝2.655×1021Km÷（1.591×1021Km）＝1.669（回転）
螺旋回転した回数＝2.073×1021Km÷（2.651×1021Km）＝0.782（回転）
10−14mの場合。
軌道エネルギー＝2.524×1027JKm÷（107×9.46×1012Km）＝2.668×107J。公転速度＝（2.668×107）1/2=5.165×103Km。
軌道エネルギー＝2.524×1027JKm÷（3×107×9.46×1012Km）＝8.894×106J。公転速度＝（8.894×106J）1/2=2.982×103Km。
軌道エネルギー＝2.524×1027JKm÷（5×107×9.46×1012Km）＝5.336×106J。公転速度＝（5.336×106J）1/2=2.310×103Km。
螺旋回転の速度＝5.165×103Km×8.927＝4.611×104Km
螺旋回転の速度＝2.982×103Km×8.927＝2.662×104Km
螺旋回転の速度＝2.310×103Km×8.927＝2.062×104Km
1公転で進む距離＝2π×107×9.46×1012Km=5.941×1020Km
1公転で進む距離＝2π×3×107×9.46×1012Km=1.782×1021Km
1公転で進む距離＝2π×5×107×9.46×1012Km=2.970×1021Km
１螺旋回転で進む距離＝5.941×1020Km×8.927＝5.304×1021Km
１螺旋回転で進む距離＝1.782×1021Km×8.927＝1.591×1022Km
１螺旋回転で進む距離＝2.970×1021Km×8.927＝2.651×1022Km
10−14m時代螺旋回転で進む距離＝螺旋回転の速度×137億年の秒数＝4.611×104Km×1.37×1010×365×24×60×60秒＝1.992×1022Km
10−14m時代螺旋回転で進む距離＝2.662×104Km×1.37×1010×365×24×60×60秒＝1.150×1022Km
10−14m時代螺旋回転で進む距離＝2.062×104Km×1.37×1010×365×24×60×60秒＝8.909×1021Km
螺旋回転した回数＝1.992×1022Km÷（5.304×1021Km）＝3.756（回転）
螺旋回転した回数＝1.150×1022Km÷（1.591×1022Km）＝0.723（回転）
螺旋回転した回数＝8.909×1021Km÷（2.651×1022Km）＝0.336（回転）
・10−16m時代の宇宙の様子
表5
2013258839.tif 000007
・10−15m時代の宇宙の様子
表６
2013258839.tif 000008
・10−14m時代の宇宙の様子
表7
2013258839.tif 000009
この事により理解できたこと。
1．高エネルギーの場ほど、軌道半径は小さい。これは、高エネルギーの場ほど、1秒間に作る磁気の光子のエネルギーが大きいからです。磁気の光子のエネルギーは引力として働くので、軌道半径は小さくなる。
2．高エネルギーの場ほど、公転速度や螺旋回転速度は速い。これは、高エネルギーの場ほど、1秒間に作る電気の光子のエネルギーが大きいからです。電気の光子のエネルギーは軌道の速度を作るので、1秒間に作る電気の光子のエネルギーが大きい軌道ほど公転速度や螺旋回転速度は速い。
3．どの時代でも螺旋回転で進む距離は変わらない。これは、螺旋回転で進む距離＝螺旋回転の速度×時代の秒数であり、螺旋回転の速度と時代の秒数は反比例するからです。但し、10−14m時代の秒数を1.37×1010年として計算したので、1.37倍に成っている。
4．高エネルギーの場ほど螺旋回転の速度は速く、時代の秒数時間は少ない。
5．高エネルギーの場ほど、螺旋回転数は多い。
４．    泡状に存在する銀河達は、1011太陽質量のブラックホールを中心にどのように回転しているか。  泡状に存在する銀河達は、1010太陽質量のブラックホールを中心にどのように回転しているか。泡状に存在する銀河達は、109太陽質量のブラックホールを中心にどのように回転しているか。（この事については、特願2012−121431の「請求項13」に記した。その訂正です。但し、泡状に存在する銀河達は、1011太陽質量のブラックホールを中心にどのように回転しているかを追加した。）
・中央の1011太陽質量のブラックホールが作る軌道エネルギーの式はいくらか。
銀河の中心のブラックホールの質量が太陽質量の10n太陽質量の場合、宇宙の軌道エネルギーの式は、5.438×1018＋2n/3JKm÷軌道半径、です。(この事については、特願2008−23309に記した)
軌道エネルギー＝5.438×1018＋2n/3JKm÷軌道半径＝5.438×1018＋2×11÷3JKm÷軌道半径＝5.438×1025×100.333JKm÷軌道半径＝5.438×1025×2.154 JKm÷軌道半径＝1.171×1026JKm÷軌道半径
10−16m時代、中央の1011太陽質量のブラックホールが作る軌道エネルギーの式は、1.171×1026JKm÷軌道半径です。
1011太陽質量から噴出するジェットはどこまで届くか。
10−16m時代、1011太陽質量から噴出するジェットが届く距離＝6.477×1011×1011/3Km×100＝6.477×1016×100.666Km＝6.477×1016×4.641Km＝3.006×1017Km
これは、3.006×1017Km÷(9.46×1012Km)＝3.178×104、光年です。
・10−16m時代、銀河の軌道エネルギーと速度はいくらか。
泡状の銀河達が存在する軌道半径は、3.006×1017Kmです。
軌道エネルギー＝1.171×1026JKm÷(3.006×1017Km)＝3.896×108J
速度＝(3.896×108)1/2=1.974×104Km、です。
10−16m時代、泡状の銀河達の軌道エネルギーは、3.896×10８Jで、速度は1.974×10４Kmです。
・中央の1010太陽質量のブラックホールが作る軌道エネルギーの式はいくらか。
銀河の中心のブラックホールの質量が太陽質量の10n太陽質量の場合、宇宙の軌道エネルギーの式は、5.438×1018＋2n/3JKm÷軌道半径、です。(この事については、特願2008−23309に記した)
軌道エネルギー＝5.438×1018＋2n/3JKm÷軌道半径＝5.438×1018＋2×10÷3JKm÷軌道半径＝5.438×1024×100.666 JKm÷軌道半径＝5.438×1024×4.641 JKm÷軌道半径＝2.524×1025JKm÷軌道半径
10−16m時代、中央の1010太陽質量のブラックホールが作る軌道エネルギーの式は、2.524×1025JKm÷軌道半径です。
・10−16m時代、銀河の軌道エネルギーと速度はいくらか。
泡状の銀河達が存在する軌道半径は、1.395×1017Kmです。
軌道エネルギー＝2.524×1025JKm÷(1.395×1017Km)＝1.809×108J
速度＝(1.809×108)1/2=1.345×104Km、です。
10−16m時代、泡状の銀河達の軌道エネルギーは、1.809×10８Jで、速度は1.345×10４Kmです。
・中央の109太陽質量のブラックホールが作る軌道エネルギーの式はいくらか。
10−16m時代、
軌道エネルギー＝5.438×1018＋2n/3JKm÷軌道半径＝5.438×10１８＋2×9÷3JKm÷軌道半径＝5.438×102４JKm÷軌道半径。
10−16m時代、中央の109太陽質量のブラックホールが作る軌道エネルギーの式は、5.438×102４JKm÷軌道半径です。
・10−16m時代、銀河の軌道エネルギーと速度はいくらか。
泡状の銀河達が存在する軌道半径は、6.477×1016Kmです。
軌道エネルギー＝5.438×102４JKm÷(6.477×1016Km)＝8.396×10７J
速度＝(8.396×109J)1/2=9.163×104Km
10−16m時代、泡状の銀河達の軌道エネルギーは8.396×10７Jで、速度は9.163×10３Kmです。
この事を表に示す。
中心が1011太陽質量のブラックホールでできた泡状の銀河集団の軌道半径と軌道エネルギーと速度
表8
2013258839.tif 000010
中心が1010太陽質量のブラックホールでできた泡状の銀河集団の軌道半径と軌道エネルギーと速度
表9
2013258839.tif 000011
中心が109太陽質量のブラックホールでできた泡状の銀河集団の軌道半径と軌道エネルギーと速度
表10
2013258839.tif 000012
この事によって理解できる事。
1．10−14m時代、1011太陽質量のブラックホールが作った泡状に存在する銀河の軌道エネルギーは、3.896×106Jで、1010太陽質量のブラックホールが作った泡状に存在する銀河の軌道エネルギーは、1.809×106Jで、109太陽質量のブラックホールが作った泡状に存在する銀河の軌道エネルギーは、8.396×105Jですから、中心のブラックホールに近い軌道半径に存在する泡状銀河集団の順序は、1011太陽質量のブラックホールが作った泡状に存在する銀河、1010太陽質量のブラックホールが作った泡状に存在する銀河、109太陽質量のブラックホールが作った泡状に存在する銀河の順です。
2．1011太陽質量のブラックホールでできた泡の中の銀河達の軌道エネルギーは、1010太陽質量のブラックホールでできた泡の中の銀河達の軌道エネルギーの、3.896×108J÷(1.809×108J)＝2.154、倍です。
3．1010太陽質量のブラックホールでできた泡の中の銀河達の軌道エネルギーは、109太陽質量のブラックホールでできた泡の中の銀河達の軌道エネルギーの、1.809×108J÷(8.396×10７J)＝2.154、倍です。
4．1011太陽質量のブラックホールでできた泡の中の銀河達の速度は、1010太陽質量のブラックホールでできた泡の中の銀河達の速度の、1.974×104Km÷(1.345×104Km)＝1.468、倍です。
5．1010太陽質量のブラックホールでできた泡の中の銀河達の速度は、109太陽質量のブラックホールでできた泡の中の銀河達の速度の、1.345×104Km÷(9.163×103Km)＝1.468、倍です。
6．1011太陽質量のブラックホールでできた泡状の銀河達の軌道半径は、1010太陽質量のブラックホールでできた泡状の銀河達の軌道半径の、3.006×1017Km÷(1.395×1017Km)＝2.155、倍です。
7．1010太陽質量のブラックホールでできた泡状の銀河達の軌道半径は、109太陽質量のブラックホールでできた泡状の銀河達の軌道半径の、1.395×1017Km÷(6.477×1016Km)＝2.154、倍です。
５．    1011太陽質量のブラックホールでできた泡状の銀河集団は、何年で中心の1011太陽質量のブラックホールが作った軌道を1回転するか。今まで何回転したか。1010太陽質量のブラックホールでできた泡状の銀河集団は、何年で中心の1010太陽質量のブラックホールが作った軌道を1回転するか。今まで何回転したか。
109太陽質量のブラックホールでできた泡状の銀河集団は、何年で中心の109太陽質量のブラックホールが作った軌道を1回転するか。今まで何回転したか。（この事については、特願2012−121431の「請求項14」に記した。その訂正です。1011太陽質量のブラックホールでできた泡状の銀河集団は、何年で中心の1011太陽質量のブラックホールが作った軌道を1回転するかを追加した。）
・1011太陽質量のブラックホールでできた泡状の銀河集団の場合。
・何年で泡状態を1周するか。
10−14m時代、1011太陽質量のブラックホールでできた泡状の半径は、3.178×106光年です。秒速は1.974×103Kmです。
10−14m時代、1周するためにかかる年数＝泡状の円周÷秒速÷1年間の秒数＝2π×3.178×106×9.46×1012Km÷(1.974×103Km)÷(365×24×60×60)＝3.033×109年
10−15m時代、1周するためにかかる年数＝泡状の円周÷秒速÷1年間の秒数＝2π×3.178×105×9.46×1012Km÷(6.242×103Km)÷(365×24×60×60)＝9.591×107年
10−16m時代、1周するためにかかる年数＝泡状の円周÷秒速÷1年間の秒数＝2π×3.178×104×9.46×1012Km÷(1.974×104Km)÷(365×24×60×60)＝3.033×106年
・今まで何回転したか。
10−14m時代、今の年数÷1回転する年数＝1.37×1010年÷(3.033×10９年)＝4.517回転
10−15m時代、10−15m時代の年数÷1回転する年数＝109年÷(9.591×107年)＝1.043×10回転
10−16m時代、10−16m時代の年数÷1回転する年数＝108年÷(3.033×106年)＝3.297×10回転
・1010太陽質量のブラックホールでできた泡状の銀河集団の場合。
・何年で泡状態を1周するか。
10−14m時代、1010太陽質量のブラックホールでできた泡状の半径は、1.475×106光年です。秒速は1.345×103Kmです。
10−14m時代、1周するためにかかる年数＝泡状の円周÷秒速÷1年間の秒数＝2π×1.475×106×9.46×1012Km÷(1.345×103Km)÷(365×24×60×60)＝2.066×109年
10−15m時代、1周するためにかかる年数＝泡状の円周÷秒速÷1年間の秒数＝2π×1.475×105×9.46×1012Km÷(4.253×103Km)÷(365×24×60×60)＝6.533×107年
10−16m時代、1周するためにかかる年数＝泡状の円周÷秒速÷1年間の秒数＝2π×1.475×104×9.46×1012Km÷(1.345×104Km)÷(365×24×60×60)＝2.066×106年
・今まで何回転したか。
10−14m時代、今の年数÷1回転する年数＝1.37×1010年÷(2.066×10９年)＝6.631回転
10−15m時代、10−15m時代の年数÷1回転する年数＝109年÷(6.533×107年)＝1.531×10回転
10−16m時代、10−16m時代の年数÷1回転する年数＝108年÷(2.066×106年)＝4.840×10回転
・109太陽質量のブラックホールでできた泡状の銀河集団の場合。
・何年で泡状態を1周するか。
・10−14m時代、109太陽質量のブラックホールでできた泡状の半径は、6.847×105光年です。秒速は9.163×102Kmです。
10−14m時代、1周するためにかかる年数＝泡状の円周÷秒速÷1年間の秒数＝2π×6.847×105×9.46×1012Km÷(9.163×102Km)÷(365×24×60×60)＝1.408×109年
10−15m時代、1周するためにかかる年数＝泡状の円周÷秒速÷1年間の秒数＝2π×6.847×10４×9.46×1012Km÷(2.898×103Km)÷(365×24×60×60)＝4.451×107年
10−16m時代、1周するためにかかる年数＝泡状の円周÷秒速÷1年間の秒数＝2π×6.847×103×9.46×1012Km÷(9.163×103Km)÷(365×24×60×60)＝1.408×106年
・今まで何回転したか。
10−14m時代、今の年数÷1回転する年数＝1.37×1010年÷(1.408×109年)＝9.730回転
10−15m時代、10−15m時代の年数÷1回転する年数＝109年÷(4.451×107年)＝2.247×10回転
10−16m時代、10−16m時代の年数÷1回転する年数＝108年÷(1.408×106年)＝7.102×10回転
この事を表に示す。
1011太陽質量のブラックホールでできた泡状の銀河集団の回転
表11
2013258839.tif 000013
1010太陽質量のブラックホールでできた泡状の銀河集団の回転
表12
2013258839.tif 000014
10−14m時代、109太陽質量のブラックホールでできた泡状の銀河集団の回転
表13
2013258839.tif 000015
この事により理解できる事。
1. 1011太陽質量のブラックホールでできた泡状の銀河達の1周するためにかかる年数は、1010太陽質量のブラックホールでできた泡状の銀河達の1周するためにかかる年数の、3.033×106年÷(2.066×106年)＝1.468、倍です。
2．1010太陽質量のブラックホールでできた泡状の銀河達の1周するためにかかる年数は、109太陽質量のブラックホールでできた泡状の銀河達の1周するためにかかる年数の、2.066×106年÷(1.408×106年)＝1.467、倍です。
3．1011太陽質量のブラックホールでできた泡状の銀河達の回転数は、1010太陽質量のブラックホールでできた泡状の銀河達の回転数の、3.297×10回転÷(4.840×10回転)＝0.681、倍です。
4．1010太陽質量のブラックホールでできた泡状の銀河達の回転数は、109太陽質量のブラックホールでできた泡状の銀河達の回転数の、4.840×10回転÷(7.102×10回転)＝0.681、倍です。
６．    1011太陽質量のブラックホールでできた泡状の銀河達はどのように回転しているか。  1010太陽質量のブラックホールでできた泡状の銀河達はどのように回転しているか。109太陽質量のブラックホールでできた泡状の銀河達はどのように回転しているか。
質量の大きいブラックホールでできた泡状の銀河集団程、中央のブラックホールに近い軌道半径を回転している。
それで、10−14m時代、1011太陽質量のブラックホールでできた泡状の銀河達は、107光年の軌道半径を回転しているとし、1010太陽質量のブラックホールでできた泡状の銀河達は、3×107光年の軌道半径を回転しているとし、109太陽質量のブラックホールでできた泡状の銀河達は、5×107光年の軌道半径を回転しているとする。
10−14m時代、1011太陽質量のブラックホールでできた泡状の銀河達は、107光年の軌道半径を回転している状態は、107光年の軌道半径を秒速5.165×103Kmで回転している。そして、泡状の3.178×106光年の軌道半径を秒速1.974×103Kmで回転している。
10−14m時代、1010太陽質量のブラックホールでできた泡状の銀河達は、3×107光年の軌道半径を回転している状態は、3×107光年の軌道半径を秒速2.982×103Kmで回転している。そして、泡状の1.475×106光年の軌道半径を秒速1.345×103Kmで回転している。
10−14m時代、109太陽質量のブラックホールでできた泡状の銀河達は、5×107光年の軌道半径を回転している状態は、5×107光年の軌道半径を秒速2.310×103Kmで回転している。そして、泡状の6.847×105光年の軌道半径を秒速9.163×102Km で回転している。
10−15m時代、1011太陽質量のブラックホールでできた泡状の銀河達は、106光年の軌道半径を回転している状態は、10６光年の軌道半径を秒速1.633×104Kmで回転している。そして、泡状の3.178×105光年の軌道半径を秒速6.242×103Km で回転している。
10−15m時代、1010太陽質量のブラックホールでできた泡状の銀河達は、3×106光年の軌道半径を回転している状態は、3×106光年の軌道半径を秒速9.431×103Kmで回転している。そして、泡状の1.475×105光年の軌道半径を秒速4.253×103Kmで回転している。
10−15m時代、109太陽質量のブラックホールでできた泡状の銀河達は、5×106光年の軌道半径を回転している状態は、5×106光年の軌道半径を秒速7.305×103Kmで回転している。そして、泡状の6.847×104光年の軌道半径を秒速2.898×103Km で回転している。
10−16m時代、1011太陽質量のブラックホールでできた泡状の銀河達は、105光年の軌道半径を回転している状態は、105光年の軌道半径を秒速5.165×104Kmで回転している。そして、泡状の3.178×10４光年の軌道半径を秒速1.974×104Km で回転している。
10−16m時代、1010太陽質量のブラックホールでできた泡状の銀河達は、3×105光年の軌道半径を回転している状態は、3×105光年の軌道半径を秒速2.982×104Kmで回転している。そして、泡状の1.475×104光年の軌道半径を秒速1.345×104Kmで回転している。
10−16m時代、109太陽質量のブラックホールでできた泡状の銀河達は、5×105光年の軌道半径を回転している状態は、5×105光年の軌道半径を秒速2.310×104Kmで回転している。そして、泡状の6.847×103光年の軌道半径を秒速9.163×103Km で回転している。
この事を表に示す。
10−１6ｍ時代の泡状の銀河集団の回転状態
表14
2013258839.tif 000016
10−１5ｍ時代の泡状の銀河集団の回転状態
表15
2013258839.tif 000017
10−１４ｍ時代の泡状の銀河集団の回転状態
表1６
2013258839.tif 000018
この事から理解できる事。
1．時代の経過とともに、泡状の銀河集団は膨張し、宇宙の軌道半径が大きな軌道に移動している。
2．時代の経過とともに、泡状の銀河集団は軌道エネルギーを弱め(引力を弱め)、宇宙の軌道エネルギーの弱い軌道半径に移動する。
3．時代の経過とともに、泡状の銀河集団は速度を遅くし、宇宙の軌道速度が遅い軌道半径に移動する。
７．    宇宙の中心のブラックホールが作る軌道を泡状の銀河集団が回転するとき、泡状の銀河集団のどこを中心に回転するのか。
1011太陽質量のブラックホールでできた泡状銀河集団の中心は1011太陽質量のブラックホールです。
それで、宇宙の中心のブラックホールが作る軌道を泡状の銀河集団が回転するとき、中心の1011太陽質量のブラックホールが、宇宙の中心のブラックホールが作る軌道を回転する。
中心の1011太陽質量のブラックホールに引かれて、泡状の銀河集団は、宇宙の中心のブラックホールが作る軌道を回転する。
1010太陽質量のブラックホールでできた泡状銀河集団の中心は1010太陽質量のブラックホールです。
それで、宇宙の中心のブラックホールが作る軌道を泡状の銀河集団が回転するとき、中心の1010太陽質量のブラックホールが、宇宙の中心のブラックホールが作る軌道を回転する。
中心の1010太陽質量のブラックホールに引かれて、泡状の銀河集団は、宇宙の中心のブラックホールが作る軌道を回転する。
109太陽質量のブラックホールでできた泡状銀河集団の中心は109太陽質量のブラックホールです。
それで、宇宙の中心のブラックホールが作る軌道を泡状の銀河集団が回転するとき、中心の109太陽質量のブラックホールが、宇宙の中心のブラックホールが作る軌道を回転する。
中心の109太陽質量のブラックホールに引かれて、泡状の銀河集団は、宇宙の中心のブラックホールが作る軌道を回転する。
それはまるで、地球は太陽に引かれて腕の中心のブラックホールを回転しているのに似ている。
【産業上の利用可能性】
【０００９】
宇宙がどのようにできたかを理論的に理解する事は、宇宙と友達に成ることであり、心が広くなる。この事により、狭い地球の人々の事が理解できるように成る。地球は1つ、世界は1つの理念が強くなり、お互い平和に暮らすための産業が栄える。
【符号の説明】
【００１０】
１    宇宙の中心のブラックホール
２    10−16m時代、宇宙の中心のブラックホールが作る、半径105光年の軌道。軌道エネルギーは2.668×109Jで、速度は5.165×104Km。
３    1011太陽質量のブラックホール
４    10−16m時代、1011太陽質量のブラックホールのジェットが届いた半径は3.178×104光年。この泡状の軌道エネルギーは3.896×108Jで、速度は1.974×104Km。
５    この泡状の軌道にできたクエーサー達は泡状の軌道を回転する。10−16m時代中にクエーサー達は泡の軌道を32.97回転した。
６    1011太陽質量のブラックホールは、宇宙の中心のブラックホールが作る、半径105光年の軌道を回転するので、クエーサー達は泡状の軌道を回転しながら半径105光年の軌道を回転する。
７    10−16m時代、宇宙の中心のブラックホールが作る、半径3×105光年の軌道。軌道エネルギーは8.894×108Jで、速度は2.982×104Km。
８    1010太陽質量のブラックホール
９    10−16m時代、1010太陽質量のブラックホールのジェットが届いた半径は1.475×104光年。この泡状の軌道エネルギーは1.809×108Jで、速度は1.345×104Km。
１０    この泡状の軌道にできたクエーサー達は泡状の軌道を回転する。10−16m時代中にクエーサー達は泡の軌道を48.40回転した。
１１    1010太陽質量のブラックホールは、宇宙の中心のブラックホールが作る、半径3×105光年の軌道を回転するので、クエーサー達は泡状の軌道を回転しながら半径3×105光年の軌道を回転する。
１２    10−16m時代、宇宙の中心のブラックホールが作る、半径5×105光年の軌道。軌道エネルギーは5.336×108Jで、速度は2.310×104Km。
１３    109太陽質量のブラックホール
１４    10−16m時代、109太陽質量のブラックホールのジェットが届いた半径は6.847×103光年。この泡状の軌道エネルギーは8.396×107Jで、速度は9.163×103Km。
１５    この泡状の軌道にできたクエーサー達は泡状の軌道を回転する。10−16m時代中にクエーサー達は泡の軌道を71.02回転した。
１６    109太陽質量のブラックホールは、宇宙の中心のブラックホールが作る、半径5×105光年の軌道を回転するので、クエーサー達は泡状の軌道を回転しながら半径5×105光年の軌道を回転する。
１７    10−15m時代、宇宙の中心のブラックホールが作る、半径106光年の軌道。軌道エネルギーは2.668×108Jで、速度は1.633×104Km。
１８    10−15m時代、1011太陽質量のブラックホールが作る泡状の軌道半径は3.178×105光年。この泡状の軌道エネルギーは3.896×107Jで、速度は6.242×103Km。
１９    クエーサー達は銀河達になった。
２０    銀河達は泡状の軌道を回転する。10−15m時代中に銀河達は泡の軌道を10.43回転した。
２１    1011太陽質量のブラックホールは、宇宙の中心のブラックホールが作る、半径106光年の軌道を回転するので、銀河達は泡状の軌道を回転しながら半径106光年の軌道を回転する。
２２    10−15m時代、宇宙の中心のブラックホールが作る、半径3×106光年の軌道。軌道エネルギーは8.894×107Jで、速度は9.431×103Km。
２３    10−15m時代、1010太陽質量のブラックホールが作る泡状の軌道半径は1.475×105光年。この泡状の軌道エネルギーは1.809×107Jで、速度は4.253×103Km。
２４    銀河達は泡状の軌道を回転する。10−15m時代中に銀河達は泡の軌道を15.31回転した。
２５    1010太陽質量のブラックホールは、宇宙の中心のブラックホールが作る、半径3×106光年の軌道を回転するので、銀河達は泡状の軌道を回転しながら半径3×106光年の軌道を回転する。
２６    10−15m時代、宇宙の中心のブラックホールが作る、半径5×106光年の軌道。軌道エネルギーは5.336×107Jで、速度は7.305×103Km。
２７    10−15m時代、109太陽質量のブラックホールが作る泡状の軌道半径は6.847×104光年。この泡状の軌道エネルギーは8.396×106Jで、速度は2.898×103Km。
２８    銀河達は泡状の軌道を回転する。10−15m時代中に銀河達は泡の軌道を22.47回転した。
２９    109太陽質量のブラックホールは、宇宙の中心のブラックホールが作る、半径5×106光年の軌道を回転するので、銀河達は泡状の軌道を回転しながら半径5×106光年の軌道を回転する。
３０    10−14m時代、宇宙の中心のブラックホールが作る、半径107光年の軌道。軌道エネルギーは2.668×107Jで、速度は5.165×103Km。
３１    10−14m時代、1011太陽質量のブラックホールが作る泡状の軌道半径は3.178×106光年。この泡状の軌道エネルギーは3.896×106Jで、速度は1.974×103Km。
３２    銀河達
３３    銀河達は泡状の軌道を回転する。10−14m時代中に銀河達は泡の軌道を4.517回転した。
３４    1011太陽質量のブラックホールは、宇宙の中心のブラックホールが作る、半径107光年の軌道を回転するので、銀河達は泡状の軌道を回転しながら半径107光年の軌道を回転する。
３５    10−14m時代、宇宙の中心のブラックホールが作る、半径3×107光年の軌道。軌道エネルギーは8.894×106Jで、速度は2.982×103Km。
３６    10−14m時代、1010太陽質量のブラックホールが作る泡状の軌道半径は1.475×106光年。この泡状の軌道エネルギーは1.809×106Jで、速度は1.345×103Km。
３７    銀河達は泡状の軌道を回転する。10−14m時代中に銀河達は泡の軌道を6.631回転した。
３８    1010太陽質量のブラックホールは、宇宙の中心のブラックホールが作る、半径3×107光年の軌道を回転するので、銀河達は泡状の軌道を回転しながら半径3×107光年の軌道を回転する。
３９    10−14m時代、宇宙の中心のブラックホールが作る、半径5×107光年の軌道。軌道エネルギーは5.336×106Jで、速度は2.310×103Km。
４０    10−14m時代、109太陽質量のブラックホールが作る泡状の軌道半径は6.847×105光年。この泡状の軌道エネルギーは8.396×105Jで、速度は9.163×102Km。
４１    銀河達は泡状の軌道を回転する。10−14m時代中に銀河達は泡の軌道を9.730回転した。
４２    109太陽質量のブラックホールは、宇宙の中心のブラックホールが作る、半径5×107光年の軌道を回転するので、銀河達は泡状の軌道を回転しながら半径5×107光年の軌道を回転する。
【図１】
2013258839.tif 000035